(57)【要約】【課題】  玄関ドアの開閉時における防犯機能を発揮させることができる玄関ドア防犯装置を提供する。【解決手段】  玄関ドア防犯装置は、一端が玄関ドア２２に設けられ、他端が、玄関ドアを開閉可能に支持するドア枠２１に設けられたワイヤー状部材Ｗ１〜Ｗ４、及び、ワイヤー状部材の断線を検知するワイヤー断線検出部２を有し、ワイヤー状部材の断線を示す信号を受け付ける入力受付部１と、ワイヤー状部材の断線を示す信号に基づいて玄関ドアの開閉時の周囲の異常状態の有無を判定し、異常状態の有無に応じて所定の動作を行わせるか否かを判定する動作判定部４と、少なくとも一部が玄関ドアに設けられ、判定の結果により１又は複数の防犯上の動作を開始する動作開始部９とを備えたものである。【選択図】  図１
2010112058.tif 000002
【特許請求の範囲】
【請求項１】
一端が出入口ドアに、他端が出入口ドアを開閉可能に支持するドア枠又はこのドア枠周辺にそれぞれ接続され、一端又は他端の少なくとも一方が着脱可能であり、ドアを開状態にしたときに生じる出入用の空間を横切るように張設される張設部材を有し、この張設部材は、この張設部材が張設されている前記空間を人や物体が通過する際には断線するように支持され、
さらに、
張設部材の断線を検知する断線検出部を有し、前記張設部材の断線を示す信号を受け付ける入力受付部と、
前記張設部材の断線を示す信号に基づいて１又は複数の防犯上の動作を開始する動作開始部と
を備えた出入口ドア防犯装置。
【請求項２】
前記張設部材はワイヤー状部材であり、前記ワイヤー状部材の一端又は他端は、出入口ドアに内蔵され、ワイヤーを巻き取る方向に引っ張り張力を発生させるワイヤー巻き機構により引き出し又は巻き戻し可能に設けられ、
前記ワイヤー状部材の他端又は一端が、ドア枠又はドア枠周辺に着脱可能に支持部材に接続される、
請求項１に記載された出入口ドア防犯装置。
【請求項３】
前記ワイヤー状部材は複数設けられ、前記ワイヤー状部材の一端は、出入口ドアを開閉可能に支持するドア枠と対向する玄関ドアの戸先側に一定ピッチで設けられ、
前記ワイヤー状部材の他端は、出入口ドアを開閉可能に支持するドア枠の出入口ドアの戸先側に設けられる前記ワイヤー状部材の一端と対向する側に設けられる、請求項２に記載された出入口ドア防犯装置。
【請求項４】
出入口ドアを開閉可能に支持するドア枠の出入口ドアの戸先側と対向する側に、前記ドア枠の上端及び下端の穴にシャフトが挿入又は抜出することにより前記ドア枠に施錠又は開錠する上下落とし式錠を設け、
前記ワイヤー状部材の他端は、前記上下落とし式錠に接続される、請求項２又は３に記載された出入口ドア防犯装置。
【請求項５】
前記入力受付部は、本装置の起動をさせるための起動スイッチ、及び本装置の起動後に本装置の起動を解除させるための解除スイッチであり、
前記動作開始部は、前記起動スイッチによる本装置の起動の後に前記上下落とし式錠を前記ドア枠に施錠し、前記解除スイッチによる本装置の起動の解除の後に前記上下落とし式錠を前記ドア枠から開錠する、前記請求項４に記載された出入口ドア防犯装置。
【請求項６】
前記張設部材はワイヤー状部材であり、前記入力受付部の断線検出部は、ワイヤー状部材の一端が出入口ドアから外れたこと、または、ワイヤー状部材の他端がドア枠から外れたことを検知するものであり、
前記動作開始部は、前記ワイヤー状部材の断線を示す信号に基づいて警告音を発生する警告音発生部を含むものである、請求項１に記載された出入口ドア防犯装置。
【請求項７】
前記入力受付部は、本装置の起動後に本装置の起動を解除させるための解除スイッチであり、
前記動作開始部は、前記警告音の発生後、前記解除スイッチによる本装置の起動の解除がない限り、通信回線を介して本装置を管理する防犯管理センターへ通報する通報部を含むものである、請求項６に記載された出入口ドア防犯装置。
【発明の詳細な説明】
【技術分野】
【０００１】
本発明は、集合住宅の玄関ドア等の出入り口ドアに防犯機能をもたせるようにした出入口ドア防犯装置に関するものである。
【背景技術】
【０００２】
従来、集合住宅の玄関ドア等には、防犯のために屋内側から戸外を観察可能なドアスコープが設けられていた。このドアスコープは、戸外側に設けられる戸外レンズに半透過膜を形成して、屋内側から戸外を観察する場合には視認性を損なわず、戸外からは屋内が見えないようにするものである（特許文献１）。
【特許文献１】特開２００４−１９７３７５号公報
【発明の開示】
【発明が解決しようとする課題】
【０００３】
従来の集合住宅の玄関ドア等に設けられているドアスコープは、以上のように構成されているので、屋内側から戸外の様子や来訪者を確認することができる。しかし、昨今発生している事件のように玄関ドアの開閉時における居住者の出入りの際に侵入者が押し入った場合等に対処するためのものではなく、さらなる安全性の向上が望まれていた。
この発明は上述のような課題を解決するためになされたもので、玄関ドアの開閉時における防犯機能を発揮させることができる出入口ドア防犯装置を提供することを目的とする。
【課題を解決するための手段】
【０００４】
この発明に係る出入口ドア防犯装置は、一端が出入口ドアに、他端が出入口ドアを開閉可能に支持するドア枠又はこのドア枠周辺にそれぞれ接続され、一端又は他端の少なくとも一方が着脱可能であり、ドアを開状態にしたときに生じる出入用の空間を横切るように張設される張設部材を有し、この張設部材は、この張設部材が張設されている空間を人や物体が通過する際には断線するように支持され、さらに、張設部材の断線を検知する断線検出部を有し、張設部材の断線を示す信号を受け付ける入力受付部と、張設部材の断線を示す信号に基づいて１又は複数の防犯上の動作を開始する動作開始部とを備えたものである。
【０００５】
これにより、出入口ドアとドア枠の間に設けられた張設部材の断線が検出されたことを示す信号に基づいて出入口ドアの開閉時の周囲の異常状態の有無を判定し、この判定の結果により１又は複数の防犯上の動作を開始するので、張設部材の断線があった際に出入口ドアの開閉時における防犯のための動作を実行させることができる。
ここで、張設部材は、少なくとも1本でよいが、所定幅で複数設けてもよい。張設される向きは水平でも斜めでもよい。訪問者を直接確認し、かつ会話できる程度のドアの開度を確保し、宅配物等の受け渡しは可能である。
【０００６】
また、この発明に係る出入口ドア防犯装置における張設部材はワイヤー状部材であり、ワイヤー状部材の一端又は他端は、出入口ドアに内蔵され、ワイヤーを巻き取る方向に引っ張り張力を発生させるワイヤー巻き機構により引き出し又は巻き戻し可能に設けられ、ワイヤー状部材の他端又は一端が、ドア枠又はドア枠周辺に着脱可能に支持部材に接続されるものであってもよい。
これにより、ワイヤー状部材の一端又は他端はワイヤーを巻き取る方向の引っ張り張力で引き出し又は巻き戻しを行い、ワイヤー状部材の他端又は一端が、ドア枠又はドア枠周辺に着脱可能に支持部材に接続されるので不審者による急激な出入口ドアの開閉を抑制することができ、一定の力以上の力又は一定ストローク以上のストロークでワイヤー状部材の一端又は他端が引かれたときはワイヤー状部材の断線が検出されるようにすることができる。
【０００７】
また、この発明に係る出入口ドア防犯装置におけるワイヤー状部材は複数設けられ、ワイヤー状部材の一端は、出入口ドアを開閉可能に支持するドア枠と対向する出入口ドアの戸先側に一定ピッチで設けられ、ワイヤー状部材の他端は、出入口ドアを開閉可能に支持するドア枠の出入口ドアの戸先側に設けられるワイヤー状部材の一端と対向する側に設けられるものであってもよい。
【０００８】
これにより、出入口ドアとドア枠の間でワイヤー状部材は複数一定ピッチで設けられるので、出入口ドアの開閉時に宅配便などの受け渡しには支障がなく、しかも、不審者による押し入りを遮ることができる。
【０００９】
また、この発明に係る出入口ドア防犯装置における入力受付部は、出入口ドアを開閉可能に支持するドア枠の出入口ドアの戸先側と対向する側に、ドア枠の上端及び下端の穴にシャフトが挿入又は抜出することによりドア枠に施錠又は開錠する上下落とし式錠を設け、ワイヤー状部材の他端は、上下落とし式錠に接続されるものであってもよい。
【００１０】
これにより、ドア枠の出入口ドアの戸先側と対向する側に設けた上下落とし式錠にワイヤー状部材の他端が接続されるので、上下落とし式錠のドア枠への施錠又は開錠により、出入口ドアとドア枠の間にワイヤー状部材を張ったり外したりすることができる。
【００１１】
また、この発明に係る出入口ドア防犯装置における入力受付部は、本装置の起動をさせるための起動スイッチ、及び本装置の起動後に本装置の起動を解除させるための解除スイッチであり、動作開始部は、起動スイッチによる本装置の起動の後に上下落とし式錠をドア枠に施錠し、解除スイッチによる本装置の起動の解除の後に上下落とし式錠をドア枠から開錠するものであってもよい。
【００１２】
これにより、起動スイッチにより上下落とし式錠をドア枠に施錠し、解除スイッチにより上下落とし式錠をドア枠から開錠するので、上下落とし式錠のドア枠に対する施錠又は開錠をスイッチの入力操作により行うことができる。
【００１３】
また、この発明に係る出入口ドア防犯装置における張設部材はワイヤー状部材であり、入力受付部の断線検出部は、ワイヤー状部材の一端が出入口ドアから外れたこと、または、ワイヤー状部材の他端がドア枠から外れたことを検知するものであり、動作開始部は、ワイヤー状部材の断線を示す信号に基づいて警告音を発生する警告音発生部を含むものであってもよい。
【００１４】
これにより、ワイヤー断線検出部が、ワイヤー状部材の一端が出入口ドアから外れたこと、または、ワイヤー状部材の他端がドア枠から外れたことを検知したとき、警告音発生部から、ワイヤー状部材の断線を示す信号に基づいて、出入口ドアの開閉時における侵入者に対して警告音を発生させることができる。
【００１５】
また、この発明に係る出入口ドア防犯装置における入力受付部は、本装置の起動後に本装置の起動を解除させるための解除スイッチであり、動作開始部は、警告音の発生後、解除スイッチによる本装置の起動の解除がない限り、通信回線を介して本装置を管理する防犯管理センターへ通報する通報部を含むものであってもよい。
【００１６】
これにより、警告音の発生後、解除スイッチによる本装置の起動の解除がない限り、防犯管理センターへ通報することができる。ここで、防犯管理センターは、出入口ドア防犯装置の防犯状況を集中的に管理する。
【発明の効果】
【００１７】
この発明によれば、出入口ドア防犯装置は、一端が出入口ドアに、他端が出入口ドアを開閉可能に支持するドア枠又はこのドア枠周辺にそれぞれ接続され、一端又は他端の少なくとも一方が着脱可能であり、ドアを開状態にしたときに生じる出入用の空間を横切るように張設される張設部材を有し、この張設部材は、この張設部材が張設されている空間を人や物体が通過する際には断線するように支持され、さらに、張設部材の断線を検知する断線検出部を有し、張設部材の断線を示す信号を受け付ける入力受付部と、張設部材の断線を示す信号に基づいて１又は複数の防犯上の動作を開始する動作開始部とを備えるように構成されているので、出入口ドアとドア枠の間に設けられた張設部材の断線が検出されたことを示す信号に基づいて出入口ドアの開閉時の周囲の異常状態の有無を判定し、この判定の結果により１又は複数の防犯上の動作を開始するので、張設部材の断線があった際に出入口ドアの開閉時における防犯のための動作を実行させることができるという効果がある。
【発明を実施するための最良の形態】
【００１８】
以下、本発明を実施するための最良の形態について、図面を参照しながら、さらに具体的に説明する。
図１は、実施の形態の玄関ドアなどの出入口ドア防犯装置（以下、「玄関ドア防犯装置」という)のワイヤー状部材と上下落とし式錠の施錠状態の設置位置を示す図である。
玄関ドア２２の戸先側の内部には収納部２４−１〜２４−４が設けられ、この収納部２４−１〜２４−４には定トルクばね式のワイヤー巻き機構ＴＢ１〜ＴＢ４が設けられる。ワイヤー状部材Ｗ１〜Ｗ４の一端は、この定トルクばね式のワイヤー巻き機構ＴＢ１〜ＴＢ４により、一定の引き出しストローク（例えば、３０ｃｍ）の範囲内で引き出し又は巻き戻し可能となる。
【００１９】
玄関ドア２２の収納部２４−１〜２４−４に対応する位置の戸先２３側の表面にはワイヤー用穴２５−１〜２５−４が設けられ、このワイヤー用穴２５−１〜２５−４を介してワイヤー状部材Ｗ１〜Ｗ４の一端が引き出し又は巻き戻しされるように設けられる。
ワイヤー状部材Ｗ１〜Ｗ４は複数（図では４本）設けられ、ワイヤー状部材Ｗ１〜Ｗ４の一端は、玄関ドア２２を開閉可能に支持するドア枠２１と対向する玄関ドア２２の戸先２３側に上端から下端まで一定ピッチ（例えば、３０ｃｍ）で設けられる。
【００２０】
ワイヤー状部材Ｗ１〜Ｗ４の他端は、玄関ドア２２を開閉可能に支持するドア枠２１の玄関ドア２２の戸先２３側に設けられるワイヤー状部材Ｗ１〜Ｗ４の一端と対向する側に設けられる。具体的には、ワイヤー状部材Ｗ１〜Ｗ４の他端は、上下落とし式錠３１を介してドア枠２１に設けられる。
【００２１】
ここで、上下落とし式錠３１は、玄関ドア２２を開閉可能に支持するドア枠２１の室内側であって玄関ドアの戸先２３側と対向する側に設けられる。起動スイッチ３の操作に基づいて、例えばシャフト３２、３３を駆動する電動シリンダが作動すると、ドア枠２１の上端及び下端の穴３５、３６にシャフト３２、３３が挿入される。これにより上下落とし式錠３１がドア枠２１に施錠される。ワイヤー状部材Ｗ１〜Ｗ４の他端は、この上下落とし式錠３１に接続部材３７を介して接続される。ワイヤー状部材Ｗ１〜Ｗ４の他端は、例えば、挿入用ジャックを有し、このジャックが接続部材３７に設けられるプラグに対して着脱自在に構成してもよい。
【００２２】
また、ワイヤー状部材Ｗ１〜Ｗ４の一端が、定トルクばね式のワイヤー巻き機構ＴＢ１〜ＴＢ４に対して着脱自在に構成してもよい。
すなわち、ワイヤー状部材Ｗ１〜Ｗ４の一端又は他端が、一定の引っ張り力が加わったときに切断されるように構成されればよい。
【００２３】
また、ワイヤー状部材Ｗ１〜Ｗ４の一端又は他端が、一定の引き出しのストロークを超えて引っ張り力が加わったときに切断されるように構成されればよい。
また、起動スイッチ３を設けることなく、手動でシャフト３２、３３に連動する機構式ノブを上下動させて、ドア枠２１の上端及び下端の穴３５、３６にシャフト３２、３３が挿入されるように構成してもよい。
なお、ワイヤー状部材Ｗ１〜Ｗ４は、垂直方向に沿って設けられた玄関ドア２２の戸先２３またはこれと対向するドア枠２１に対し、これに直交するように水平に設けられる他、斜め方向や交差させて張設してもよい。ここでは、張設部材としてワイヤー状部材Ｗ１〜Ｗ４を示したが、張設部材は、一定の幅を有するテープ状部材やスクリーン状部材等であってもよい。
【００２４】
ワイヤー状部材Ｗ１〜Ｗ４の他端と、上下落とし式錠３１と、ワイヤー断線検出部２とは、等価的に図において点線で示すように電気的に接続される。すなわち、常時は接点が接続されていて（オン状態）、ワイヤー状部材Ｗ１〜Ｗ４の一端又は他端が上下落とし式錠３１から切断されたときに接点が切断される（オフ状態）スイッチＳＷ１〜ＳＷ４と、ワイヤー断線検出部２と、電源Ｅが直列接続される回路が形成される。
【００２５】
ここで、すべてのワイヤー状部材Ｗ１〜Ｗ４の一端又は他端が上下落とし式錠３１と接続されているとき、すべてのスイッチＳＷ１〜ＳＷ４の接点が接続されているので（オン状態）、ワイヤー断線検出部２は、この回路に電流が流れるため、電源Ｅから回路の電圧降下分を差し引いた電圧（低レベル）を検出する。
【００２６】
また、いずれかのワイヤー状部材Ｗ１〜Ｗ４の一端又は他端が上下落とし式錠３１から切断されているとき、いずれかのスイッチＳＷ１〜ＳＷ４の接点が切断されているので（オフ状態）、ワイヤー断線検出部２は、この回路に電流が流れないため、電源Ｅそのものの電圧（高レベル）を検出する。
【００２７】
図２は、実施の形態の玄関ドア防犯装置のワイヤー状部材と上下落とし式錠の開錠状態の設置位置を示す図である。
上下落とし式錠３１は、解除スイッチ３の操作に基づき、例えばシャフト３２、３３を駆動する電動シリンダが作動すると、ドア枠２１の上端及び下端の穴３５、３６からシャフト３２、３３が抜出される。これにより、上下落とし式錠３１は、ドア枠２１から開錠される。すると、ワイヤー状部材Ｗ１〜Ｗ４の他端は、定トルクばね式のワイヤー巻き機構ＴＢ１〜ＴＢ４により、巻き戻される。ワイヤー状部材Ｗ１〜Ｗ４の他端は、この上下落とし式錠３１に接続部材３７を介して接続されている。
【００２８】
このため、上下落とし式錠３１は、ワイヤー状部材Ｗ１〜Ｗ４に働く巻き戻し力により、ドア枠２１の玄関ドア２２の戸先２３側と対向する側から玄関ドア２２の内側面の戸先２３側に接触するように移動する。例えば、上下落とし式錠３１の接続部材３７の接触面に、磁石を装着しておけば、鉄製の玄関ドア２２の内側面の戸先２３側に接続部材３７の接触面が磁力により接触される。
【００２９】
よって、上下落とし式錠３１は、玄関ドア２２の内側面の戸先２３側に接触された状態で、玄関ドア２２の開閉に伴って移動される。
また、解除スイッチ３を設けることなく、手動でシャフト３２、３３に連動する機構式ノブを上下動させて、ドア枠２１の上端及び下端の穴３５、３６からシャフト３２、３３が抜出されるように構成してもよい。
【００３０】
図３は、本発明の実施の形態による玄関ドア防犯装置に適用される各部の構成を示すブロック図である。
この玄関ドア防犯装置は、入力受付部１と、動作判定部４と、動作開始部９とを備えている。入力受付部１は、一端が玄関ドアに設けられ、他端が、玄関ドアを開閉可能に支持するドア枠に設けられたワイヤー状部材、及び、ワイヤー状部材の断線を検知するワイヤー断線検出部を有し、ワイヤー状部材の断線を示す信号を受け付けるように構成される。動作判定部４は、ワイヤー状部材の断線を示す信号に基づいて玄関ドアの開閉時の周囲の異常状態の有無を判定し、異常状態の有無に応じて所定の動作を行わせるか否かを判定するように構成される。動作開始部９は、この判定の結果により１又は複数の防犯上の動作を開始するように構成される。
【００３１】
入力受付部１において、ワイヤー断線検出部２と、起動・解除スイッチ３を示すが、入力受付部１は、実施の形態の態様に応じて、上記の起動・解除スイッチ３を有さないようにも構成される。各部の詳細は、以下に説明する。
【００３２】
動作判定部４は、判定部５と、制御部６と、タイマ７と、メモリ８とを有している。
制御部６は、入力受付部１からのワイヤー状部材の断線を示す信号に基づいて動作開始部９の動作を制御するように構成される。この制御部６は、例えば、制御を司るＣＰＵと、制御プログラム及び制御情報を記憶するＲＯＭ、ＲＡＭにより構成されている。
【００３３】
判定部５は、この信号に基づいて玄関ドアの開閉時の周囲の異常状態の有無を判定し、異常状態の有無に応じて所定の動作を行わせるか否かを判定するように構成される。
また、タイマ７は、所定時間の計測を行うように構成される。メモリ８は、検出される信号の情報や動作開始部の動作の情報を記憶するように構成される。
動作判定部４は、この実施の形態において用いられるが、制御部６のＲＯＭに記憶される制御プログラムは、実施の形態の態様に応じて、異なる内容となる。
【００３４】
動作開始部９において、警告音発生部１０と、通報部１１と、ワイヤー式錠の開錠・施錠部１２を示しているが、動作開始部９は、実施の形態の態様に応じて、警告音発生部１０と、通報部１１と、ワイヤー式錠の開錠・施錠部１２のうちのいずれか一つ又は複数を含むように構成される。各部の詳細は、以下に説明する。
【００３５】
この実施の形態の玄関ドア防犯装置では、入力受付部１はワイヤー断線検出部２と、起動・解除スイッチ３とにより構成され、動作開始部９は警告音発生部１０と、通報部１１と、ワイヤー式錠の開錠・施錠部１２により構成される。ここで、ワイヤー状部材は、一端が玄関ドアに設けられ、他端が、玄関ドアを開閉可能に支持するドア枠に設けられる。ワイヤー断線検出部２は、このワイヤー状部材の断線を検知する。
また、起動スイッチ３は、玄関ドアの室内側に設けられ、玄関ドアの開閉の際に本装置を起動させるように構成される。解除スイッチ３は、起動スイッチの操作による信号入力後に本装置の起動を解除させるように構成される。
【００３６】
起動・解除スイッチ３は、一対の接点の接合又は離隔による電圧の変化で玄関ドアの開閉信号を検出するように構成されるプッシュ式、一対の接点の接合又は離隔による抵抗値の変化で玄関ドアの開閉信号を検出するように構成されるタッチセンサ式、マグネットの検出部に対する近接又は離隔による磁界の変化で玄関ドアの開閉信号を検出するように構成されるマグネット式等どのようなタイプであってもよい。
【００３７】
警告音発生部１０は、玄関ドアの室外側に設けられ、動作判定部４の制御により起動・解除スイッチ３の操作により入力される信号に基づいて警告音を発生するように構成される。警告音は、例えば、ブザー音、発振音、任意の音源から再生されるメッセージ音でもよい。
通報部１１は、動作判定部４の制御により警告音の発生後、解除スイッチによる本装置の起動の解除がない限り、通信回線を介して本装置を管理する防犯管理センターへ通報するように構成される。
【００３８】
ワイヤー式の錠開錠・施錠部１２は、起動スイッチによる本装置の起動の後に上下落とし式錠３１をドア枠に施錠し、解除スイッチによる本装置の起動の解除の後に上下落とし式錠３１をドア枠から開錠するように構成される。
【００３９】
次に動作について説明する。
図４は、実施の形態の玄関ドア防犯装置の動作を示すフローチャートである。
図４は、動作判定部４の制御プログラムに基づく制御部６の動作を示している。
まず、動作判定部４の制御部６は、起動スイッチ３からの入力があると制御プログラムを立ち上げて起動スイッチ３がオンになったか否かを判断する（ステップＳ１）。
【００４０】
判断ステップＳ１で、起動スイッチ３がオンになったとき、動作判定部４の制御部６は、セキュリティシステムを起動する（ステップＳ２）。
このとき、動作判定部４の制御部６は、ワイヤー式錠の施錠・開錠部１２に対して上下落とし式錠３１をドア枠２１に施錠させる（ステップＳ３）。このとき、上下落とし式錠３１は、ドア枠２１の玄関ドア２２の戸先２３側と対向する側に設けられ、起動スイッチ３の操作に基づいてドア枠２１の上端及び下端の穴３５、３６にシャフト３２、３３が挿入されることによりドア枠２１に施錠される（図１参照）。
【００４１】
動作判定部４の制御部６は、ワイヤー断線検出部２がワイヤー部材Ｗ１〜Ｗ４の断線を検出したか否かを判断する（ステップＳ４）。
ここで、すべてのワイヤー状部材Ｗ１〜Ｗ４の他端が上下落とし式錠３１と接続され、また、すべてのワイヤー状部材Ｗ１〜Ｗ４の一端が定トルクばね式のワイヤー巻き機構ＴＢ１〜ＴＢ４と接続されているとき、すべてのスイッチＳＷ１〜ＳＷ４の接点が接続され（オン状態）、ワイヤー断線検出部２は、電源Ｅから回路の電圧降下分を差し引いた電圧（低レベル）を検出するため、ワイヤー部材Ｗ１〜Ｗ４の断線を検出しない状態となる（図１）。
【００４２】
また、いずれかのワイヤー状部材Ｗ１〜Ｗ４の他端が上下落とし式錠３１から切断され、また、いずれかのワイヤー状部材Ｗ１〜Ｗ４の一端が定トルクばね式のワイヤー巻き機構ＴＢ１〜ＴＢ４から切断されているとき、いずれかのスイッチＳＷ１〜ＳＷ４の接点が切断され（オフ状態）、ワイヤー断線検出部２は、電源Ｅそのものの電圧（高レベル）を検出するため、ワイヤー部材の断線を検出する状態となる（図１）。
【００４３】
判断ステップＳ４で、ワイヤー断線検出部２がワイヤー部材Ｗ１〜Ｗ４の断線を検出したとき、動作判定部４の制御部６は、警告音発生部１０に警告音を発生させる（ステップＳ５）。
ここで、動作判定部４の制御部６は、解除スイッチ３がオンになったか否かを判断する（ステップＳ６）。
【００４４】
判断ステップＳ６で、解除スイッチ３がオンでないとき、動作判定部４の制御部６は、予め定めた設定時間が経過したか否かを判断する（ステップＳ７）。判断ステップＳ７で、予め定めた設定時間が経過したとき、動作判定部４の制御部６は、通報部に通信回線を介して防犯管理センターへ通報させる（ステップＳ８）。
【００４５】
判断ステップＳ６で解除スイッチ３がオンのとき、動作判定部４の制御部６は、ワイヤー式錠施錠・開錠部１２に対して上下落とし式錠３１をドア枠２１から開錠させる（ステップＳ９）。このとき、上下落とし式錠３１は、解除スイッチ３の操作に基づきドア枠２１の上端及び下端の穴３５、３６からシャフト３２、３３が抜出され、ワイヤー状部材Ｗ１〜Ｗ４の他端が、定トルクばね式のワイヤー巻き機構ＴＢ１〜ＴＢ４により巻き戻され、玄関ドア２２の内側面の戸先２３側に接触される（図２）。
【００４６】
そして、動作判定部４の制御部６は、ステップＳ８の通報の後と、ステップＳ９のワイヤー式錠３１を開錠した後に、制御プログラムに従ってセキュリティシステムを終了する（ステップＳ１０）。
【００４７】
なお、上述した起動スイッチ３がオンになったか否かの判断（ステップＳ１）と、解除スイッチ３がオンになったか否かの判断（ステップＳ６）は、必ずしも必須の処理ではない。このとき、ワイヤー式錠の施錠（ステップＳ３）の後にセキュリティシステムを起動させ（ステップＳ２）、ワイヤー式錠の開錠（ステップＳ９）の後にセキュリティシステムを終了させればよい（ステップＳ１０）。
【００４８】
以上のように、実施の形態による玄関ドア防犯装置は、一端が玄関ドア２２に、他端が玄関ドアを開閉可能に支持するドア枠２１又はこのドア枠周辺にそれぞれ接続され、一端又は他端の少なくとも一方が着脱可能であり、ドアを開状態にしたときに生じる出入用の空間を横切るように張設されるワイヤー状部材Ｗ１〜Ｗ４を有し、このワイヤー状部材Ｗ１〜Ｗ４は、このワイヤー部材が張設されている空間を人や物体が通過する際には断線するように支持され、さらに、ワイヤー状部材Ｗ１〜Ｗ４の断線を検知するワイヤー断線検出部２を有し、ワイヤー状部材の断線を示す信号を受け付ける入力受付部１と、ワイヤー状部材Ｗ１〜Ｗ４の断線を示す信号に基づいて１又は複数の防犯上の動作を開始する動作開始部９とを備えたものである。
【００４９】
これにより、玄関ドア２２とドア枠２１の間に設けられたワイヤー状部材Ｗ１〜Ｗ４の断線が検出されたことを示す信号に基づいて玄関ドア２２の開閉時の周囲の異常状態の有無を判定し、この判定の結果により１又は複数の防犯上の動作を開始するので、ワイヤー状部材Ｗ１〜Ｗ４の断線があった際に玄関ドア２２の開閉時における防犯のための動作を実行させることができる。
【００５０】
また、実施の形態による玄関ドア防犯装置におけるワイヤー状部材Ｗ１〜Ｗ４の一端又は他端は、玄関ドア２２に内蔵され、ワイヤーを巻き取る方向に引っ張り張力を発生させるワイヤー巻き機構ＴＢ１〜ＴＢ４により引き出し又は巻き戻し可能に設けられ、ワイヤー状部材Ｗ１〜Ｗ４の他端又は一端が、ドア枠又はドア枠周辺に着脱可能に上下落とし式錠３１（支持部材）に接続されるものであってもよい。
これにより、ワイヤー状部材Ｗ１〜Ｗ４の一端はワイヤーを巻き取る方向の引っ張り張力で引き出し又は巻き戻しを行い、ワイヤー状部材Ｗ１〜Ｗ４の他端又は一端が、ドア枠又はドア枠周辺に着脱可能に上下落とし式錠３１（支持部材）に接続されるので不審者による急激な玄関ドア２２の開閉を抑制することができ、一定の力以上の力又は一定ストローク以上のストロークでワイヤー状部材Ｗ１〜Ｗ４の一端又は他端が引かれたときはワイヤー状部材Ｗ１〜Ｗ４の断線が検出されるようにすることができる。
【００５１】
また、実施の形態による玄関ドア防犯装置におけるワイヤー状部材Ｗ１〜Ｗ４は複数設けられ、ワイヤー状部材Ｗ１〜Ｗ４の一端は、玄関ドア２２を開閉可能に支持するドア枠２１と対向する玄関ドア２２の戸先側に一定ピッチで設けられ、ワイヤー状部材Ｗ１〜Ｗ４の他端は、玄関ドア２２を開閉可能に支持するドア枠２１の玄関ドア２２の戸先側に設けられるワイヤー状部材Ｗ１〜Ｗ４の一端と対向する側に設けられるものであってもよい。
【００５２】
これにより、玄関ドア２２とドア枠２１の間でワイヤー状部材Ｗ１〜Ｗ４は複数一定ピッチで設けられるので、玄関ドア２２の開閉時に宅配便などの受け渡しには支障がなく、しかも、不審者による押し入りを遮ることができる。
【００５３】
また、実施の形態による玄関ドア防犯装置における入力受付部１は、玄関ドア２２を開閉可能に支持するドア枠２１の玄関ドア２２の戸先側と対向する側に、ドア枠２１の上端及び下端の穴３５、３６にシャフト３２、３３が挿入又は抜出することによりドア枠２１に施錠又は開錠する上下落とし式錠３１を設け、ワイヤー状部材Ｗ１〜Ｗ４の他端は、上下落とし式錠３１に接続されるものであってもよい。
【００５４】
これにより、ドア枠２１の玄関ドア２２の戸先側と対向する側に設けた上下落とし式錠３１にワイヤー状部材Ｗ１〜Ｗ４の他端が接続されるので、上下落とし式錠３１のドア枠２１への施錠又は開錠により、玄関ドア２２とドア枠２１の間にワイヤー状部材Ｗ１〜Ｗ４を張ったり外したりすることができる。
【００５５】
また、実施の形態による玄関ドア防犯装置における入力受付部１は、本装置の起動をさせるための起動スイッチ３、及び本装置の起動後に本装置の起動を解除させるための解除スイッチ３であり、動作開始部４は、起動スイッチ３による本装置の起動の後に上下落とし式錠３１をドア枠２１に施錠し、解除スイッチ３による本装置の起動の解除の後に上下落とし式錠３１をドア枠２１から開錠するワイヤー式錠の開錠・施錠部１２であってもよい。
【００５６】
これにより、起動スイッチ３の操作によりワイヤー式錠の開錠・施錠部１２が上下落とし式錠３１をドア枠２１に施錠し、解除スイッチ３により上下落とし式錠３１をドア枠２１から開錠するので、上下落とし式錠３１のドア枠２１に対する施錠又は開錠をスイッチの入力操作により行うことができる。
【００５７】
また、実施の形態による玄関ドア防犯装置における入力受付部のワイヤー断線検出部２は、ワイヤー状部材Ｗ１〜Ｗ４の一端が玄関ドア２２から外れたこと、または、ワイヤー状部材Ｗ１〜Ｗ４の他端がドア枠２１から外れたことを検知するものであり、動作開始部９は、ワイヤー状部材Ｗ１〜Ｗ４の断線を示す信号に基づいて警告音を発生する警告音発生部１０を含むものであってもよい。
【００５８】
これにより、ワイヤー断線検出部２が、ワイヤー状部材Ｗ１〜Ｗ４の一端が玄関ドア２２から外れたこと、または、ワイヤー状部材Ｗ１〜Ｗ４の他端がドア枠２１から外れたことを検知したとき、警告音発生部１０から、ワイヤー状部材Ｗ１〜Ｗ４の断線を示す信号に基づいて、玄関ドア２２の開閉時における侵入者に対して警告音を発生させることができる。
【００５９】
また、実施の形態による玄関ドア防犯装置における入力受付部１は、本装置の起動後に本装置の起動を解除させるための解除スイッチ３であり、動作開始部９は、警告音の発生後、解除スイッチ３による本装置の起動の解除がない限り、通信回線を介して本装置を管理する防犯管理センターへ通報する通報部１１を含むものであってもよい。
【００６０】
これにより、警告音の発生後、解除スイッチ３による本装置の起動の解除がない限り、防犯管理センターへ通報することができる。
【００６１】
本発明は前述した各実施形態に限定されるものではなく、本発明の要旨の範囲内で、各種の変形実施が可能である。
【図面の簡単な説明】
【００６２】
【図１】実施の形態の玄関ドア防犯装置のワイヤー状部材と上下落とし式錠の施錠状態の設置位置を示す図である。
【図２】実施の形態の玄関ドア防犯装置のワイヤー状部材と上下落とし式錠の開錠状態の設置位置を示す図である。
【図３】本発明の実施の形態による玄関ドア防犯装置に適用される各部の構成を示すブロック図である。
【図４】実施の形態の玄関ドア防犯装置の動作を示すフローチャートである。
【符号の説明】
【００６３】
１…入力受付部、２…ワイヤー断線検出部、３…起動・解除スイッチ、４…動作判定部、５…判定部、６…制御部、７…タイマ、８…メモリ、９…動作開始部、１０…警告音発生部、１１…通報部、１２…ワイヤー式錠の開錠・施錠部、Ｗ１〜Ｗ４…ワイヤー状部材（張設部材）、３１…上下落とし式錠（支持部材）、ＴＢ１〜ＴＢ４…定トルクばね式のワイヤー巻き機構
【図１】
2010112058.tif 000003
【図２】
2010112058.tif 000004
【図３】
2010112058.tif 000005
【図４】
2010112058.tif 000006